(57)【特許請求の範囲】
【請求項１】
開口部を開閉する防音機能付の建築用シャッター装置であって、シャッターカーテンが繰出される躯体開口縁部に、シャッターカーテンの左右幅方向に長い遮音材を設け、該遮音材の先端部をカーテン面に弾圧状に当接させてカーテン面とのあいだを塞いで防音するにあたり、遮音材は、左右幅方向に長いシート状の基部と、該基部先端部に形成され、シャッターカーテンを構成するスラット連結部の隙間および基部の厚さより大きい外形を有してカーテン面に突当たる当接部とを備えてシャッターカーテンの左右幅より僅かに短い長さに設定してスラット連結部の隙間に落ち込まないようになっている防音機能付の建築用シャッター装置。
【発明の詳細な説明】
【０００１】
【発明の属する技術分野】
本発明は、工場やビル等の建築物の開口部に建付けられる防音機能付の建築用シャッター装置の技術分野に属するものである。
【０００２】
【従来の技術】
従来、建築物の建物内の音を外部に出したくない場合や、これとは逆に外部の騒音を建物内に入れないようにするため、開口部に防音機能付の建築用シャッター装置を設けることが提唱されている。このようなシャッター装置としては、複数のスラットを開閉方向に連装したシャッターカーテンを、開口部上方に設けた巻取りドラムに巻装し、開口部の開閉は、シャッターカーテンを巻取りドラムに対して巻出し、巻取りすることで行うが、このとき、シャッターカーテンは、躯体開口部の上縁部から繰出されることになり、この繰出し部において躯体とシャッターカーテンの屋外側面とのあいだに隙間が形成されるため、該隙間からの音の出入りを遮断するための防音対策が必要となる。そこで、従来、防音対策として、図１５に示すように、前記繰出し部である躯体開口縁部に相当する屋外側のまぐさ３２に、シャッターカーテン２の幅方向に長く上下一対となったゴム製の遮音材３３を設け、該遮音材３３の先端部３３ａをカーテン面に当接させることで、躯体開口部とシャッターカーテン２の屋外側カーテン面とのあいだの隙間Ｈを塞ぐようにしており、これによって、防音が計られている。
【０００３】
【発明が解決しようとする課題】
ところで、シャッターカーテン２は、複数のスラットを連結することで構成されており、これらスラット３の連結部には、シャッターカーテンの屋外側のカーテン面から屋内側に退避する（陥没する）隙間Ｓが形成されている。一方、前記従来の遮音材３３は、図１５に示すようにシート状態となっていて、先端はシャッターカーテン２の隙間Ｓよりも小さいものになっている。このため、シャッターカーテン２を開閉作動する過程で、遮音材３３の先端部３３ａがスラット３間の連結部である隙間Ｓに対向する毎に落ち込み、その度に異音を発生するという問題がある。
さらには、前記遮音材３３はゴム製のシート状体であるため、経時的な変化で長手方向に波打つ状態になってしまうことがあり、このようになると、シャッターカーテン２の全閉姿勢でカーテン面とのあいだに隙間ができてしまい、防音性能を著しく低下させてしまうという問題があり、これらに本発明が解決しようとする課題があった。
【０００４】
【課題を解決するための手段】
本発明は、上記の如き実情に鑑み、これらの課題を解決することを目的として創作されたものであって、開口部を開閉する防音機能付の建築用シャッター装置であって、シャッターカーテンが繰出される躯体開口縁部に、シャッターカーテンの左右幅方向に長い遮音材を設け、該遮音材の先端部をカーテン面に弾圧状に当接させてカーテン面とのあいだを塞いで防音するにあたり、遮音材は、左右幅方向に長いシート状の基部と、該基部先端部に形成され、シャッターカーテンを構成するスラット連結部の隙間および基部の厚さより大きい外形を有してカーテン面に突当たる当接部とを備えてシャッターカーテンの左右幅より僅かに短い長さに設定してスラット連結部の隙間に落ち込まないようになっている防音機能付の建築用シャッター装置である。
そして、このようにすることにより、遮音材の先端部がスラット連結部の隙間に落ち込むことがなく、シャッターカーテンの開閉作動時に異音が発生するような不具合がなくなる。
【０００５】
【発明の実施の形態】
次に、本発明の第一の実施の形態を図１〜図１１の図面に基づいて説明する。図面において、１は工場やビル等の大開口に建付けられるの防音機能付きの建築用シャッター装置（重量シャッター装置）であり、該シャッター装置１を構成するシャッターカーテン２は、左右方向（幅方向）に長い複数３のスラットを開閉方向である上下方向に連装することで構成されたものになっている。４は、開口部上方屋内側に設けられたシャッターケースであって、該シャッターケース４を構成する左右側板の屋外側部位には、前記シャッターカーテン２の上端部が連結された巻取りドラム５の左右端部が回動自在に支架されるている。一方、前記シャッターケース４の屋内側部位には、巻取りドラム５と並列する状態で開閉機６が固定支持されており、該開閉機６の駆動スプロケット６ａと、巻取りドラム５の一端部に連結される従動スプロケット５ａとが連動連結されている。そして、開閉機６の正逆回転駆動に伴い巻取りドラム５が回転することにより、シャッターカーテン２は巻取りドラム５に巻取られて開口部を開放する開放姿勢と、巻取りドラム５から巻出されて開口部を閉鎖する閉鎖姿勢とに変姿するように設定されている。このとき、シャッターカーテン２は、左右両側縁部が開口部の左右両側に建て付けられた一対のガイドレール７に案内される状態で上下方向に移動変姿するように設定されており、これらの構成は何れも従来通りとなっている。
図１において、８は開閉操作用スイッチである。
【０００６】
さて、前記シャッターカーテン２を構成する各スラット３は、例えばスチール製の屋内外一対の長板材３ａ、３ｂを用いて所謂ホロー型に形成されている。そして、屋外側の長板材３ａは、上下縁部にインターロック部３ｃ、３ｄが折曲形成され、屋内側の長板材３ｂは、前記上下のインターロック部３ｃ、３ｄのあいだに収容される大きさの矩形となるように折曲形成され、これら屋内外の長板材３ａ、３ｂ対向間に、例えばロックウール等の遮音材３ｅと防振性能を有したゴム材からなる防振ゴム３ｇとが収容され、防音性能を有したスラット３に形成されている。このように形成された各スラット３は、図４に示すように、隣接するスラット３の上下のインターロック部３ｃ、３ｄ同志をそれぞれインターロック結合することで連結されてシャッターカーテン２を構成しており、該シャッターカーテン２を、屋外側のスラット面（屋外側スラット３ａのスラット面）が面一状になるよう連結したとき、前記上下のインターロック部３ｃ、３ｄの連結部に、該屋外側スラット面から屋内側に退避する凹溝状の小さな隙間Ｓが形成されている。
さらに、各スラット３の左右両側部は、図３（Ｃ）に示すように、内側長板材３ｂの方が僅かに短く形成され、ここに、屋外側長板材３ａに沿う側辺が形成された略Ｌ字形の端部材３ｆが一体化されている。そして、ガイドレール７は、後述するように、各スラット３の遮音材３ｅ収容部に至る部位にまで嵌合するように形成されている。
尚、本実施の形態のスラット３は遮音材３ｅを充填することで防音性が高まるようにしているが、要求される防音性能によっては屋外側の長板材３ａのみの構成とすることもできる。
【０００７】
一方、前記ガイドレール７は躯体に埋め込み状に配されているものであるが、スチール材を折曲形成することで構成され、屋内外方向を向く溝底片７ａと、該溝底片７ａの両端部から左右方向開口部側に向けて延出される一対の溝側片部７ｂと、これら溝側片部７ｂの延出先端部からそれぞれ屋内外方向に向けて延出された一対の先端片部７ｃと、これら先端片部７ｃの先端部からそれぞれ左右方向に折返し状に折曲された一対の折返し片部７ｄとを備えて形成されている。そして、一対の溝側辺部７ｂの対向間に、シャッターカーテン２の両側縁部を遊嵌状に外嵌したとき、一対の折返し片部７ｄがシャッターカーテン２の屋内外のカーテン面に近接対向して、シャッターカーテン２を移動案内する案内面となるように設定されている。
【０００８】
さらに、ガイドレール７の溝開口側には、溝側片部７ｂと先端片部７ｃと折返し片部７ｄとに囲まれたスペースに収容されるようにして取付け具９が螺子止め固定されている。前記取付け具９は、アルミ型材で一体型形成されたものになっており、各折返し片部７ｄに続いてガイドレール７の溝奥側でシャッターカーテン２を移動案内する案内面９ａを構成するように設定されている。そして、前記取付け具９に、ガイドレール７とシャッターカーテン２のカーテン面とのあいだを塞ぐためのモヘア１０と、遮音ゴム１１との両者が着脱自在に取付けられている。そして、シャッターカーテン２の側縁部は、図６の仮想線で示すような位置関係でガイドレール７に嵌合されるように設定されており、このとき、遮音ゴム１０の突片１１ａとモヘア１０の先端部との両者がそれぞれカーテン面に当接して弾性変形し、これによって、シャッターカーテン２を全閉した状態においてシャッターカーテン２とガイドレール７とのあいだの隙間が塞がれて音漏れ防止（遮音性能、防音性能）の向上が計れるように設定されている。尚、本実施の形態では、モヘア１０と遮音ゴム１１との両者によりシャッターカーテン２のカーテン面とガイドレール７とのあいだを封止しており、これによって、カーテン面に形成されるスラット３同志の連結部の隙間Ｓまでもがモヘア１０の先端部により塞がれて、よりレベルの高い防音性能が発揮されるように構成しているが、要求される防音性能のレベルによっては遮音ゴム１１のみを設ける構成であってもよい。
また、１２は各ガイドレール７の上端部に設けられるのみ込みガイド体であって、該のみ込みガイド体１２は、巻取りドラム５に巻装されたシャッターカーテン２をガイドレール７に、あるいはガイドレール７から巻取りドラム５へとシャッターカーテン２をガイドするように設定されている。
【０００９】
１３は最下端に位置するスラット３に連結された座板であって、該座板１３にも防音の向上を計るための配慮がなされている。
つまり、座板１３は、上側に位置するスラット３との連結部となるインターロック部１４ａおよび屋外側面１４ｂが形成された第一半部１４と、上片部１５ａ、屋内側面１５ｂおよび下端部に位置し床面とのあいだを遮音する遮音用ゴム材１６を嵌合するための蟻溝状の取付け部１５ｃが形成された第二半部１５とを螺子止めして一体化することで構成されている。ここで、前記遮音用ゴム材１６は断面半円形状に形成され、外周面から屋内外方向に傾斜状に突出する突起１６ａが形成されたものとなっており、シャッターカーテン２が全閉姿勢となったときに突起１６ａが弾性変形を伴う状態で床面に当接することで、床面との封止性を高めて遮音効果を発揮するように構成されている。また、本実施の形態の座板１３では、第二半部取付け部１５ｃに、前後方向に向けて突出し、前記遮音用ゴム材１６の上方部位にオーバーラップするようにして当接片部１５ｄが形成されており、シャッターカーテン２の全閉姿勢において、当接片部１５ｄが床面に当接することで遮音用ゴム材１６の弾性変形を規制するように設定されている。これによって、遮音用ゴム材１６が長時間にわたる弾性変形により異形になって防音性能が低下してしまうような不具合を防止できるようになっている。
【００１０】
そして、これら第一、第二半部１４、１５はそれぞれアルミ型材で形成され、第一半部１４のインターロック部１４ａと屋外側面１４ｂとのあいだの曲げ角度ができるだけ小さくなるように配慮されている。これによって、第一半部インターロック部１４ａが最下端スラット３の下側インターロック部３ｄと連結したとき、スラット３の屋外側スラット面の下端部と第一半部屋外側面１４ｂの上端部とのあいだに形成される隙間Ｓ’が小さくなり、防音性能が高められるように設定されている。
因みに、従来、重量のシャッター装置における座板は、スチール材を曲げ加工して形成されている。このため、スラットとの連結部であるインターロック部は、スラット同志の連結とは異なりスラット下側インターロック部を外嵌するように曲げ形成されている。このため、これらを連結したときに、スラットと座板との屋外側面に形成される隙間は、スラット同志の連結部に形成される隙間よりも大きくなって防音性能を損なうという問題があったが、本実施の形態のようにアルミ型材で形成することにより前記曲げ角度を自由に設定できることになり、前記隙間Ｓ’の大きさを可及的に小さくすることができ、前記スラット３の連結部の隙間Ｓと略同じ大きさとなって、防音性能の向上が計れるようになっている。
尚、１７は第二半部１５に螺子止め固定され座板１３の左右両側面を塞ぐように配される端板材である。
【００１１】
一方、開口部上方には屋内外一対のまぐさ１８、１９が左右方向に長く設けられており、これらまぐさ１８、１９の左右両側部に、前記ガイドレール７の上端部が対向配設されている。そして、前記シャッターカーテン２は、これらまぐさ１８、１９のあいだを案内されて開口部に至るように設定されており、前記屋外側のまぐさ１９には、シャッターカーテン２の屋外側カーテン面とのあいだに形成される隙間Ｈを塞いて遮音するための遮音材２０が組込まれた遮音ユニットに構成されている。
【００１２】
即ち、前記屋外側まぐさ１９はスチール製の長板材を折曲することで形成されており、躯体屋外側部材に固定されるべく屋外側が開口して側面断面が略Ｃ型に形成されたまぐさ本体部１９ａと、該まぐさ本体部１９ａとは逆側に開口する側面断面が略Ｃ型に形成された取付け片部１９ｂとが形成され、前記取付け片部１９ｂの凹部に、上下一対の左右方向に長く形成された遮音材２０が組込まれている。前記各遮音材２０は、シャッターカーテン２の左右幅より僅かに短い長さに設定されており、図８に示すように左右ガイドレール７の上端部のあいだに位置する状態で組込まれている。これら遮音材２０はゴム質弾性材で形成され、左右方向に長いシート状の基部２０ａの先端部に、シャッターカーテン２との当接部となる中空状のリング状部２０ｂが一体に形成されたものになっている。さらに、シート状の遮音材基部２０ａは、基端側半部は肉厚状に、先端側半部は肉薄状に形成されており、肉厚状の基端には上方に突出して抜止めをする係合部２０ｃが一体形成されている。また、基部２０ａの薄肉部から先端部のリング状部２０ｂに亘る部位には、例えばウレタンコーティング材によるコーティング処理がなされており、これによって、リング状部２０ｂにおける滑りの向上、摩耗の低減が計れるように配慮されている。
このように形成された上下一対の遮音材２０は、上下の遮音材基部２０ａ同志のあいだに介装される矩形状の第一スペーサ２１と、上側遮音材２０の基部２０ａの上側に介装される板状に第二スペーサ２１ａとによって抜止め状に支持されるとともに、まぐさ１９の取付け片部１９ｂの上側片１９ｃを貫通するボルト２２を締結することにより、これら上下の遮音材２０が取付け片部１９ｂの凹部に固定状に組込まれるように設定されている。このようにして、遮音材２０が組込まれた屋外側まぐさ１９は、遮音ユニットとして躯体に取付けられるように設定されている。
【００１３】
ここで、前記遮音材２０は、屋内外方向長さについては、弾性変形した状態でシャッターカーテン２の屋外側カーテン面に届く長さに寸法設定されている。さらに、リング状部２０ｂの外径は、前記シャッターカーテン２の屋外側カーテン面に形成される隙間、即ち、各スラット３同志の連結部に形成される隙間Ｓの上下方向長さ（シャッターカーテン２の開閉方向長さに相当する）よりも大きい当接面となるように寸法設定されている。
このように構成することにより、遮音材２０は、図１０に示すように、リング状部２０ｂの外周面がシャッターカーテン２の屋外側面に突当たるような状態で弾性変形し、この状態においてシャッターカーテン２が閉鎖作動をすることになるが、このとき、リング状部２０ｂは、スラット３同志の連結部に形成される隙間Ｓに対向したとき、リング状部２０ｂの外周面の何れかの部位が、前記隙間Ｓの上下縁部の何れか一方、または両者に当接する状態となって、リング状部２０ｂ全体が隙間Ｓに落ち込んでしまうことがないように設定されている（図１１参照）。
尚、本実施の形態の遮音材２０は上下一対の二段状として屋外側まぐさ１９に取付けられているが、遮音材２０は一段だけ取付けるようにしてもよく、また、屋内側まぐさ１８だけに取付けたり、屋内外の両かまち１８、１９に取付けるようにしてもよい。
【００１４】
叙述の如く構成された本発明の実施の形態において、シャッターカーテン２は左右両側縁部をガイドレール７に移動案内される状態で上下に開閉移動して、開口部の開閉が行われることになるが、この場合に、シャッターカーテン２の閉鎖状態において、シャッターカーテン２の上側縁部と屋外側まぐさ１９とのあいだは、屋外側まぐさ１９に組込まれた遮音材２０により封止されて、高度なレベルでの防音がなされている。
しかもこのものにおいて、遮音材２０は、前述したようにシート状の基端部２０ａの先端部にシャッターカーテン２のカーテン面の隙間Ｓよりも大きい外形となった中空状のリング状部２０ｂがシャッターカーテン２のカーテン面に当接する構成となっているため、該リング状部２０ｂ前記隙間Ｓと対向したとき、リング状部２０の外周面の何れかが隙間Ｓの縁部に当接していて隙間Ｓに落ち込むことがない。この結果、シャッターカーテン２が開閉作動するとき、遮音材２０に対してシャッターカーテン２の前記隙間Ｓが順次間欠的に対向する状態となったとして、隙間Ｓに遮音材２０が落ち込むようなことがなく、従来の遮音材が隙間に落ち込んで異音を発生することがなくなって、異音発生のない静粛な開閉作動を期待できる。
因みに、前記シャッター装置１をＪＩＳ（日本工業規格）のＡ４７０２、Ａ４７０６で規格される鋼製及びアルミニウム合金製のドアやサッシの防音、遮音性能に準じて測定したところ、３０デシベル（ｄＢ）以上の音圧低下がなされるＴ２レベルの装置となっていることが確認された。
【００１５】
このように、本発明が実施された防音機能付のシャッター装置１は、防音性能が優れたものでありながら、シャッターカーテン２の開閉作動に際しても静粛な作動とすることができるものであるが、さらにこのものでは、シート状の基部２０ａの先端部に、該シート状の基部２０ａよりも厚みのあるリング状部２０ｂが形成されているため、経時的な変化で基部２０ａが波打つような変形が生じにくくなり、この結果、良好な封止性が長く持続する耐久性の優れることになって、高性能のシャッター装置１を提供できる。
【００１６】
さらにこのものでは、ガイドレール７にモヘア１０と遮音ゴム１１とが配されているため、屋内外のカーテン面に対し遮音ゴム突片１１ａが屋内外カーテン面に弾圧状に当接することで封止がなされ、そのうえで、モヘア１０の先端部が屋外側カーテン面のスラット３同志の隙間Ｓと、スラット３と座板１３との隙間Ｓ’とに入り込んでこれを塞ぐため、一層の防音効果を期待できる。
しかもこのものでは、座板１３をアルミ型材で型成形することで曲げ角度を自由に設定できるので、最下端に位置するスラット３の下側インターロック部３ｄとの連結部に形成される隙間をできるだけ小さくすることができ、かつ、該部位にも前記ガイドレール７のモヘア１０の先端部が入り込むようにして当接するため、防音性能のさらなる向上を果すことができる。
この結果、シャッターカーテン２を全閉姿勢としたとき、シャッターカーテンの四周と開口縁部とのあいだは、上側においては遮音材２０により封止され、左右両側においてはモヘア１０と遮音ゴム１１とにより封止され、下側においては座板１３の遮音ゴム１６により封止され、しかも、スラット３同志やスラット３と座板１３との各連結部における小さな隙間Ｓ、Ｓ’についても封止されて防音性の優れたシャッター装置１とすることができる。
【００１７】
尚、本発明は前記実施の形態に限定されないことは勿論であって、遮音材ユニットとなる屋外側まぐさは、図１２（Ａ）に示す第二の実施の形態のように、屋外側まぐさ２３を二部材２３ａ、２３ｂで構成するようにしてもよく、このものでは、開口部に面するまぐさ部となる第一部材２３ａとしてステンレス製材料が用いられている。
また、図１２（Ｂ）、（Ｃ）に示す第三、第四の実施の形態のようにすることもでき、このものでは、各屋外側まぐさ２４、２５は、両者ともまぐさ部２４ａ、２５ａと取付け片部２４ｂ、２５ｂとがともにスチール製の二部材で形成されており、これらの前後方向の位置関係が前記第一、第二の実施の形態とは異なるように形成されている。さらに、図１２（Ｃ）のものでは三部材で形成され、まぐさ部２５ａにステンレス製材料２５ｃが用いられたものとなっている。
【００１８】
さらに、防音性能の優れた座板としては、図１３（Ａ）、（Ｂ）に示す第五、第六の実施の形態のようにすることもできる。これらの座板２６、２７は、最下端スラット３との連結をする連結部材２６ａ、２７ａ、該連結部材２６ａ、２７ａに固定される固定座板２６ｂ、２７ｂおよび該固定座板２６ｂ、２７ｂに対して上下方向移動自在に配され下端部に遮音用ゴム材１６が配された可動座板２６ｃ、２７ｃと、固定座板２６ｂ、２７ｂに対する可動座板２６ｃ、２７ｃとが設けられたものになっており、該可動座板２６ｃ、２７ｃの上動に基づいて図示しない障害物検知スイッチが切換えられて障害物検知を行う構成となっている。そしてこのものでも、連結部材２６ａ、２７ａをアルミ型材で型成形することにより、最下端スラット３とのインターロック結合部に形成される隙間をできるだけ小さくなるようにしている。因みに、連結部材２６ａ、２７ａは、前記第一の実施の形態の座板１３を構成する第一半部１４をそのまま用いており、部材の兼用化が計られている。
【００１９】
さらには、遮音材の当接部としては、図１４（Ａ）、（Ｃ）に示す第七、九の実施の形態の遮音材２８、３０のように、当接部２８ａ、３０ａが中実状であっても、図１４（Ｂ）、（Ｄ）に示す第八、十の実施の形態の遮音材２９、３１のように、当接部２９ａ、３１ａが中空状であってもよい。また、当接部の形状としては、シャッターカーテン２との当接面がＲ状になっていればよく、図１４（Ａ）、（Ｂ）の遮音材２８、２９のように、当接部２８ａ、２９ａの形状が断面半円形状のものや、図１４（Ｃ）、（Ｄ）の遮音材３０、３１のように、当接部３０ａ、３１ａの形状が、シャッターカーテンの開閉方向に長い楕円形状のもの等、種々の形状であってもよい。
【図面の簡単な説明】
【図１】シャッター装置の概略を示す正面図である。
【図２】シャッター装置の側面図である。
【図３】図３（Ａ）、（Ｂ）、（Ｃ）はそれぞれスラットの正面図、図３（Ａ）のＸ−Ｘ断面図、図３（Ａ）のＹ−Ｙ断面図である。
【図４】シャッターカーテンの一部側面断面図である。
【図５】図５（Ａ）、（Ｂ）はそれぞれガイドレールの側面図、一部正面図である。
【図６】図５（Ｂ）のＸ−Ｘ断面図である。
【図７】図７（Ａ）、（Ｂ）はそれぞれシャッターカーテン下端部の側面図、側面断面図である。
【図８】図８（Ａ）、（Ｂ）はそれぞれ屋外側まぐさの背面図、図８（Ａ）のＸ−Ｘ断面図である。
【図９】遮音材の斜視図である。
【図１０】まぐさ部における側面断面図である。
【図１１】遮音材の作用を説明する側面断面図である。
【図１２】図１２（Ａ）、（Ｂ）、（Ｃ）はそれぞれ第二、第三、第四の実施の形態における屋外側まぐさの側面断面図である。
【図１３】図１３（Ａ）、（Ｂ）はそれぞれ第五、第六の実施の形態におけるまぐさ部の側面断面図である。
【図１４】図１４（Ａ）、（Ｂ）、（Ｃ）、（Ｄ）はそれぞれ第七、第八、第九、第十の実施の形態における遮音材の側面図である。
【図１５】図１５は従来例における遮音材の作用を説明する側面断面図である。
【符号の説明】
１    シャッター装置
２    シャッターカーテン
３    スラット
３ａ    屋外側長板材
３ｃ    上側インターロック部
５    巻取りドラム
６    開閉機
７    ガイドレール７
９    取付け具
１０    モヘア
１１    遮音ゴム
１２    のみ込みガイド体
１３    座板
１４    第一半部
１４ａ    インターロック部
１６    遮音用ゴム材
１９    屋外側まぐさ
１９ｂ    取付け片部
２０    遮音材
２０ｂ    リング状部
２１    第一スペーサ
２２    ボルト
【図１】
0003760314.tif 000002
【図２】
0003760314.tif 000003
【図３】
0003760314.tif 000004
【図４】
0003760314.tif 000005
【図５】
0003760314.tif 000006
【図６】
0003760314.tif 000007
【図７】
0003760314.tif 000008
【図８】
0003760314.tif 000009
【図９】
0003760314.tif 000010
【図１０】
0003760314.tif 000011
【図１１】
0003760314.tif 000012
【図１２】
0003760314.tif 000013
【図１３】
0003760314.tif 000014
【図１４】
0003760314.tif 000015
【図１５】
0003760314.tif 000016